(57)【要約】【課題】メインテナンスが容易なエレベータかご内の天井照明装置を提供すること。【解決手段】一例のエレベータかご内の天井照明装置は、エレベータかご内の上方に設けられ、一面に複数の光源を配設された照明板と、この照明板の下方又は一体に設けられた照明ケースと、この照明ケースの端部が下方に回動可能に前記照明板に支持する取付ブラケットと、を有する。【選択図】図１
2016166076.tif 000002
【特許請求の範囲】
【請求項１】
エレベータかご内の上方に設けられ、一面に複数の光源を配設された照明板と、
この照明板の下方又は一体に設けられた照明ケースと、
この照明ケースの端部が下方に回動可能に前記照明板に支持する取付ブラケットと、
を有するエレベータかご内の天井照明装置。
【請求項２】
前記照明ケースは、前記照明板と平行にスライドさせられた後に回動する請求項１記載のエレベータ内の天井照明装置。
【請求項３】
前記照明ケースは、複数の前記取付ブラケットにより前記照明板に支持され、前記取付ブラケットに対して回動する回動留め具と、前記取付ブラケットと係合する係合留め具とを備え、この係合留め具を前記取付ブラケットから外すことにより、前記照明ケースを回動させる請求項１記載のエレベータ内の天井照明装置。
【請求項４】
前記取付ブラケットと回動留め具とは、蝶番により回動可能に固定されている請求項３記載のエレベータかご内の天井照明装置。
【請求項５】
前記照明板は、エレベータかごの枠体に直接固定されている請求項１乃至４の何れか一項に記載のエレベータ内の天井照明装置。
【請求項６】
前記照明板は、エレベータかごの枠体に固定された支持体に固定されている請求項１乃至４の何れか一項に記載のエレベータ内の天井照明装置。
【請求項７】
前記照明板と前記照明ケースの回動端部とは、紐により結ばれている請求項１乃至６の何れか一項に記載のエレベータ内の天井照明装置。
【発明の詳細な説明】
【技術分野】
【０００１】
本発明の実施形態は、エレベータかご内の天井照明装置に関する。
【背景技術】
【０００２】
従来、エレベータかごの天井に、複数の光源を天井に設置しそれらを覆う照明カバーを設けた間接照明の装置が知られている。
【０００３】
エレベータかごではスペースが比較的狭いが、従来の構造の装置でもエレベータかご内でメインテナンスを行うことは可能である。しかし、従来構造では取付部が見えないような天井照明の構造がなく、そのような構造の場合、従来の取付構造ではメインテナンスが困難であった。
【先行技術文献】
【特許文献】
【０００４】
【特許文献１】特開２０１２−６５７２号公報
【発明の概要】
【発明が解決しようとする課題】
【０００５】
本発明の課題は、メインテナンスが容易なエレベータかご内の天井照明装置を提供することである。
【課題を解決するための手段】
【０００６】
一実施形態のエレベータかご内の天井照明装置は、エレベータかご内の上方に設けられ、一面に複数の光源を配設された照明板と、この照明板の下方又は一体に設けられた照明ケースと、この照明ケースの端部が下方に回動可能に前記照明板に支持する取付ブラケットと、を有する。
【図面の簡単な説明】
【０００７】
【図１】第１の実施形態のエレベータかご内の天井照明装置の構造を示す図である。
【図２】第１の実施形態の留め金具と照明ケースの状態を示す図である。
【図３】第１の実施形態の第１の変形例を示す図である。
【図４】第１の実施形態の第２の変形例を示す図である。
【図５】第２の実施形態の留め金具と照明ケースの状態を示す図である。
【図６】第３の実施形態の留め金具と照明ケースの状態を示す図である。
【発明を実施するための形態】
【０００８】
以下、本発明の実施の形態について、図面を用いて説明する。
【０００９】
＜第１の実施形態＞
図１（ａ）（ｂ）は、第１の実施形態のエレベータかご内の天井照明装置の取付け時、メインテナンス時の状態を示す側面図である。
【００１０】
エレベータかご１０の枠体１１の上部の内面に照明板が設けられ、この照明板１２の略中央に複数の光源１３、例えばＬＥＤ光源が埋め込まれている。
【００１１】
これらの光源１３の下方には、所定距離だけ離して照明ケース１４が照明板１２とほぼ平行に設けられる。この照明ケース１４は光源１３の直接光を遮るあるいは半透明の性質を備えており、例えばアクリル部材やガラス繊維布部材で構成される。すなわち、エレベータかごの中は間接照明がなされる。
【００１２】
なお、照明ケース１４の縁は補強のため折り曲げ加工されていてもよい。
【００１３】
照明ケース１４は光源１３の配列位置に対応して矩形状を有しており、光源１３による照射光の影響が少ない外側において側面から見てＬ字状の取付ブラケット１５ａ，１５ｂの上方の平面部で例えばネジにより照明板１２に取り付けられる。
【００１４】
照明ケース１４の取付ブラケット１５ａに対応する位置には留め金具１６ａが設けられる。照明ケース１４の取付ブラケット１５ｂに対応する位置に留め金具１６ｂが設けられる。後述するように、留め金具１６ａは固定軸１７を中心にボルトで照明ケース１４が回動することが可能に固定されている。一方、留め金具１６ｂは、取付ブラケット１５ｂの内側のナットとボルトで固定されており、このナットを外すと、留め金具１６ｂは取付ブラケット１５ｂから下方に離脱可能な構造をしている。照明ケース１４は、通常は図１（ａ）に示すように照明板１２に平行に支持されている。
【００１５】
保守員の手などにより留め金具１６ｂを固定しているナット１８ｂを外すと、図１（ｂ）に矢印Ａで示すように、照明ケース１４の端部すなわち、留め金具１６ｂ側が下に回動してこちら側が解放される。これにより、照明ケース１４の上面の保守や照明板１２に設けられている光源１３の取換えなどのメインテナンスを容易に行うことができる。
【００１６】
図２（ａ）は取付ブラケット１５ａ，１５ｂに照明ケース１４が支持されている状態の上から見た斜視図である。実際には、取付ブラケット１５ａ，１５ｂは照明板１２に取り付けられているので、この状態を直接、見ることはできない。
【００１７】
図２（ｂ）は、取付ブラケット１５ａの留め金具（回動留め具）１６ａは固定軸１７を中心にボルト１８ａ，１８ａ’で照明ケース１４が回動することが可能に固定されている。一方、留め金具（係合留め具）１６ｂは、取付ブラケット１５ｂの内側に設けられたナット１８ｂでボルト１８ｂ’と固定されており、このナット１８ｂを外すと、留め金具１６ｂは取付ブラケット１５ｂから下方に離脱可能な構造をしている。
【００１８】
図２では、照明ケース１４の一方の端部において留め金具１６ａ，１６ｂが取付ブラケット１５ａ，１５ｂに固定される状態を示している。しかし、図示していないが、実際にはもう一方の端部においても留め金具が取付ブラケットに対応して設けられる。留め金具１６ａ側の辺の留め金具は留め金具１６ａと同様の構造をしており、留め金具１６ｂ側の辺の留め金具は留め金具１６ｂと同様の構造をしている。
【００１９】
このような構造のエレベータかご内の天井照明装置１０において、通常使用されているときには、照明ケース１４は、ナット１８ｂが締められて図１（ａ）に示すように、照明ケース１４が照明板１２と平行な状態で維持される。
【００２０】
一方、照明ケース１４と照明板１２に挟まれた部分のメインテナンス、例えば光源１３の取換えなどが必要なときには、ナット１８ｂ等のナットを保守員が外して、図１（ｂ）に示すように、矢印Ａ方向に照明ケース１４の留め金具１６ｂ側を押し下げて留め金具１６ｂ側を開放する。メインテナンスが終了したら、照明ケース１４の留め金具１６ｂ側を押し上げて、ナット１８ｂを締めることにより、図１（ａ）の状態に戻すことができる。
【００２１】
なお、照明ケース１４をどの程度、開くことができるか、即ち開いたときの照明ケース１４の照明板１２に対する最大角度は、適宜選択できる。例えば、取付ブラケットと留め金具１６ａの関係で開口角を決めることにより、図１（ｂ）に示すように、９０度より小さい角度しか開くことができないようにすることができる。この場合には、留め金具１６ａに相当の力がかかりまた保守員の作業が限定されるので、例えば９０度まで開くことができるようにすることができる。
【００２２】
この実施形態によれば、一端側は軸を中心に回動するようにしており、回動が容易となる利点がある。この実施形態によれば、メインテナンスが容易なエレベータかごの天井照明装置が得られる。
【００２３】
なお、この実施形態の上記説明では、枠体に照明板が直接、固定されている例について説明した。しかし、照明板は、エレベータかごの枠体に直接固定されていなくてもよい。
【００２４】
また、光源は照明ケースに設けられていてもよい。すなわち、照明板と照明ケースが一体となっていてもよい。図３にこのような第１の実施形態の変形例の構造を示す。この変形例では、光源３３が設けられた照明ケース３４が、取付ブラケット３５ａ、３５ｂにより枠体３１に、取り付けられる。光源３３からの光は上方に向けて放射される。取付ブラケット３５ａ、３５ｂは上記取付ブラケット１５ａ、１５ｂと同様である。すなわち取付ブラケット３５ａは、対応する図示しない留め金具と回動中心となり、取付ブラケット３５ｂは図示しない留め金具と固定することも外すことも可能とされる。
【００２５】
この変形例では、光源３３から発した光は上方の天井（枠体）により反射され間接照明としてエレベータかご内を照らす。
【００２６】
また、上述の図１（ｂ）で示したように、照明ケース１４の一端側を９０度より狭い角度で開いた状態では、取付ブラケット１５ａと留め金具１６ａに相当の荷重がかかる。そこで万一のために図４に示すように、照明板１２の取付ブラケット１５側に紐４１の一端を固定し、この紐４１の他端を照明ケース１４の留め金具１６ｂ（回動端）側に結んでおく。このように紐４１を設けると、照明ケース１４が開いたとき取付ブラケット１５ａと留め金具１６ａに係る荷重を分散することが可能となる。
【００２７】
照明ケース１４の一端側を９０度以上の角度で開く場合にも安全のために上記紐を設けることは有効である。
【００２８】
＜第２の実施形態＞
上記第１の実施形態では、照明ケースの一方を、軸中心で回動するようにしていた。しかし、蝶番を用いて回動するようにすることも可能である。この第２の実施形態について説明する。
【００２９】
図５は、第２の実施形態の回動の中心となる取付ブラケットの部分のみを示す。この場合の取付ブラケット５５の側面はＬ字状であるが、両側板５５ａ、５５ａ’の上部において図示しない照明板に例えばネジで取り付けられる。この底面部５５ｄにおいて、蝶番の一方５６に固定され他方５６’は照明ケース５４にネジで固定される。
【００３０】
このように、蝶番により回動の中心となる取付ブラケットを設けることも可能である。他の構造は図１及び図２に示した第１の実施形態と同様である。
【００３１】
この実施形態によれば、回動部が蝶番により構成されているので、照明ケース５４が比較的安定な状態で回動させることができる利点がある。
【００３２】
この第２の実施形態では、回転支点としての構造が薄くなるためかご内から見えない範囲に支点を配置しようとした場合に配置の自由度が高くなる。もしくは第１の実施形態では、支点がエレベータかご内から見えてしまう場合にもこの第２の実施形態では支点が見えないようにすることができる利点がある。
【００３３】
なお、この実施形態においても、照明板を直接エレベータかごの枠体に固定しなくてもよい。また第２の実施形態では図４に示すように照明ケースの回動端部と照明板を紐で結ぶようにしてもよい。
【００３４】
また、この実施形態によれば、第１の実施形態の場合と同様に、メインテナンスが容易なエレベータかごの天井照明装置が得られる。
【００３５】
＜第３の実施形態＞
次に、照明ケースをスライドさせてから回動する第３の実施形態について説明する。図６（ａ）（ｂ）は、この実施形態の照明ケースを固定している状態とスライドさせ回動させた状態の斜視図である。
【００３６】
図６（ａ）において、照明ケース６４の両側に取付ブラケット６５ａを天井の又は枠体に例えばネジで取り付ける。取付ブラケット６５ｂは取付ブラケット６５ａに取り付ける。照明ケース６４の縁部には縁板６６が設けられている。
【００３７】
図６（ａ）ではこの縁板６６と一方の取付ブラケット６５ａのみを示している。この取付ブラケット６５ａは、照明ケース６４の内側に設けられたガイド板６７に沿ってスライド可能である。すなわち、ガイド板６７には、ガイド孔６７ａが切ってあり、このガイド孔６７ａに沿って取付ブラケット６５ａの突出部６５ｄが照明ケース６４をスライドざせる方向（矢印Ｆ）と逆の方向（矢印Ｇ）にスライドする。
【００３８】
取付ブラケット６５ａに対して照明ケース６４が固定されるときには、ナット６８により固定されている。このナット６８を取り外し、照明ケース６４を照明板と平行に、矢印Ｆ方向に移動させると、照明ケース６４は矢印Ｈの方向に回動させることができる。
【００３９】
この第３の実施形態でも照明板を直接枠体に固定しなくてもよい。また第２の実施形態で図４に示すように照明ケースの回動端部と照明板を紐で結ぶようにしてもよい。
【００４０】
このようにして、図示しない照明板に設けられた光源の取換えなどメインテナンスを容易に行うことが可能となる。
【００４１】
この実施形態によれば、照明ケース６４を安定して保持することができるエレベータかご内の天井照明装置が得られる。また、この実施形態によれば、第１の実施形態や第２の実施形態の場合と同様に、メインテナンスが容易なエレベータかごの天井照明装置が得られる。
【００４２】
上記実施形態では、留め金具を用いた場合について説明したが、一般的には金属製でなくてもよく、留め具であればよい。本発明で用いる照明ケースは光を全く通さない材質のものであってもよい。
【００４３】
本発明のいくつかの実施形態を説明したがこれらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
１１・・・・枠体
１２・・・・照明板
１３・・・・光源
１４，３４，５４，６４・・・・照明ケース
１５ａ，１５ｂ，５５，６５ａ・・・・取付ブラケット
１６ａ，１６ｂ・・・・留め金具
１７・・・・固定軸
１８ａ・・・・ボルト
１８ｂ，６８・・・・ナット
４１・・・・紐
６７・・・・ガイド板
【図１】
2016166076.tif 000003
【図２】
2016166076.tif 000004
【図３】
2016166076.tif 000005
【図４】
2016166076.tif 000006
【図５】
2016166076.tif 000007
【図６】
2016166076.tif 000008